(57)【特許請求の範囲】
【請求項１】
給紙台に積載された最上位置の用紙を回転により２次給紙部材側に搬送する１次給紙ロールを有し、この１次給紙ロールによって前記用紙の先端が２次給紙部材に当接してから更に搬送して前記用紙を撓ませた状態で１次給紙を完了すると共に、前記１次給紙ロールの回転軸に、給紙回転方向への回転を許容するが給紙逆回転方向への回転を阻止する逆転阻止手段を設け、この逆転阻止手段の回転阻止を解除する回転阻止解除手段を設けた給紙装置において、
前記逆転阻止手段は、装置本体に対して回転不能に支持されたストッパー部材と、前記１次給紙ロールの回転軸の給紙回転方向への回転時に前記回転軸の回転を許容し、給紙逆回転方向への回転時に前記回転軸にロックするワンウェイクラッチ部材とを有し、前記ストッパー部材と前記ワンウェイクラッチ部材との間が係合・非係合自在に設けられ、前記回転阻止解除手段が前記ワンウェイクラッチ部材と前記ストッパー部材との係合・非係合を制御する操作レバーであることを特徴とする給紙装置。
【請求項２】
給紙台に積載された最上位置の用紙を回転により２次給紙部材側に搬送する１次給紙ロールを有し、この１次給紙ロールによって前記用紙の先端が２次給紙部材に当接してから更に搬送して前記用紙を撓ませた状態で１次給紙を完了すると共に、前記１次給紙ロールの回転軸に、給紙回転方向への回転を許容するが給紙逆回転方向への回転を阻止する逆転阻止手段を設け、この逆転阻止手段の回転阻止を解除する回転阻止解除手段を設けた給紙装置を給紙部に用いた印刷装置において、
前記逆転阻止手段は、装置本体に対して回転不能に支持されたストッパー部材と、前記１次給紙ロールの回転軸の給紙回転方向への回転時に前記回転軸の回転を許容し、給紙逆回転方向への回転時に前記回転軸にロックするワンウェイクラッチ部材とを有し、前記ストッパー部材と前記ワンウェイクラッチ部材との間が係合・非係合自在に設けられ、前記回転阻止解除手段が前記ワンウェイクラッチ部材と前記ストッパー部材との係合・非係合を制御する操作レバーであることを特徴とする印刷装置。
【発明の詳細な説明】
【０００１】
【発明の属する技術分野】
本発明は、１次給紙ロールによって用紙の先端が２次給紙部材に当接する位置から更に搬送して用紙を撓ませた状態で１次給紙を完了する給紙装置及びこれを用いた印刷装置に関する。
【０００２】
【従来の技術】
この種の従来の給紙装置の概略構成図が図７に示されている。図７において、給紙装置Ａ１の給紙台１には多数の印刷用紙（用紙）２が積載され、この積載された印刷用紙２の上方位置には１次給紙ロールであるスクレーパロール３及びピックアップロール４が配置されている。スクレーパロール３は最上位置の印刷用紙２に圧接され、ピックアップロール４はさばき台５に圧接されている。
【０００３】
ピックアップロール４の回転軸６とスクレーパロール３の回転軸７とは図示しない駆動ベルトにより連結され、ピックアップロール４とスクレーパロール３はピックアップロール４の回転軸６の回転により同期して共に給紙回転方向に回転される。ピックアップロール４の搬送下流側には２次給紙部材である一対の２次給紙ロール８，９が圧接状態で配置され、この一対の２次給紙ロール８，９は介在された印刷用紙２を搬送するように互いに逆回転方向に回転駆動される。
【０００４】
又、ピックアップロール４と一対の２次給紙ロール８，９との間には給紙センサ１０が設けられ、この給紙センサ１０は１次給紙側から搬送されて来る印刷用紙２の先端を検出する。
【０００５】
次に、給紙動作を説明する。スクレーパロール３及びピックアップロール４が同期して回転されると、スクレーパロール３に圧接されている最上位置の印刷用紙２が少なくとも搬送され、この搬送された印刷用紙２がピックアップロール４とさばき台５との間に搬送される。ピックアップロール４とさばき台５との間まで搬送された印刷用紙２はピックアップロール４に圧接されるため、ピックアップロール４の回転により更に搬送される。ここで、ピックアップロール４とさばき台５との間に複数枚の印刷用紙２が搬送されて来ると、最上の印刷用紙２はピックアップロール４の回転により搬送力を付与される一方、最下の印刷用紙２はさばき台５より搬送抵抗を付与され、以上より最上の印刷用紙２の１枚のみが一対の２次給紙ロール８，９側に搬送される。
【０００６】
このように搬送される印刷用紙２の先端を給紙センサ１０が検出し、この検出ポイントを基準として所定の距離だけ印刷用紙２を搬送した時点でスクレーパロール３及びピックアップロール４の回転が停止される。具体的には、印刷用紙２の先端が一対の２次給紙ロール８，９の間に入り込んだ状態で一対の２次給紙ロール８，９に当接し、この当接位置から更に搬送され、印刷用紙２が図７に示すように撓んだ状態で１次給紙が完了される。このように印刷用紙２を撓ませた状態で１次給紙を完了しておくと、一対の２次給紙ロール８，９を回転駆動する際に、撓んだ印刷用紙２が直線状に戻ろうとする復帰力によって一対の２次給紙ロール８，９の間にスムーズに、且つ、搬送過程における用紙の斜め送りによる用紙の傾きを解消して確実に入り込むため、２次給紙のタイミングを正確、且つ、確実に行うことができるものである。
【０００７】
しかし、図７に示すように、印刷用紙２を撓ませた状態で１次給紙を完了しておくと、撓んだ印刷用紙２が直線状に戻ろうとする復帰力によってピックアップロール４が逆回転され、このピックアップロール４の逆回転によって逆搬送方向に移動した印刷用紙２の後端が給紙台１の最上位置の印刷用紙２を押圧する。この押圧によって給紙台１の最上位置の印刷用紙２の位置が乱され、次の１次給紙動作の安定性を阻害する。特に、印刷用紙２が腰の強い硬質（はがき、厚紙等）の場合には撓んだ印刷用紙２が直線状に戻ろうとする復帰力に強いため、給紙台１の最上位置の印刷用紙２の位置が乱される可能性が高くなる。
【０００８】
これを解決するべく図８及び図９に示す給紙装置が提案されている。図８，図９に示すように、この給紙装置Ａ２はピックアップロール４の回転軸６に逆転阻止手段であるワンウェイクラッチ１１を装着したものである。このワンウェイクラッチ１１は装置本体側である側板１２に対して回転不能に支持され、ピックアップロール４の回転軸６の給紙回転方向ａへの回転時には回転軸６の回転を許容し、給紙逆回転方向ｂへの回転時に回転軸６にロックし、側板１２で逆回転力を受けることによって回転軸６の回転を阻止するものである。他の構成は前記従来例と同一であるため、図面に同一符号を付してその説明を省略する。図９において、１３はスクレーパロール３を支持するスクレーパ支持部材であり、スクレーパ支持部材１３は回転軸６に回転自在に支持されており、回転軸６の回転によって回転しないように構成されている。
【０００９】
つまり、この給紙装置Ａ２では、図８に示すように、印刷用紙２を撓ませた状態で１次給紙を完了した場合にあって、撓んだ印刷用紙２が直線状に戻ろうとする復帰力によってピックアップロール４に逆回転方向の押圧力が作用するが、このピックアップロール４の逆回転がワンウェイクラッチ１１によって阻止されるため、１次給紙された印刷用紙２の後端が給紙台１の最上位置の印刷用紙２を押圧することがないものである。
【００１０】
【発明が解決しようとする課題】
しかしながら、前記従来の給紙装置Ａ２では、１次給紙された印刷用紙２の逆搬送ができないので、１次給紙された印刷用紙２にジャミングが発生した場合には、給紙台１側からジャミングした印刷用紙２を引き出せない。従って、１次給紙でジャミングした印刷用紙２を除去し難いという問題がある。
【００１１】
そこで、本発明は、前記した課題を解決すべくなされたものであり、１次給紙した用紙によって給紙台の用紙の位置が乱されることを防止すると共に、１次給紙でジャミングした用紙を容易に除去できる給紙装置及びこれを用いた印刷装置を提供することを目的とする。
【００１２】
【課題を解決するための手段】
請求項１の発明は、給紙台に積載された最上位置の用紙を回転により２次給紙部材側に搬送する１次給紙ロールを有し、この１次給紙ロールによって前記用紙の先端が２次給紙部材に当接してから更に搬送して前記用紙を撓ませた状態で１次給紙を完了すると共に、前記１次給紙ロールの回転軸に、給紙回転方向への回転を許容するが給紙逆回転方向への回転を阻止する逆転阻止手段を設け、この逆転阻止手段の回転阻止を解除する回転阻止解除手段を設けた給紙装置において、前記逆転阻止手段は、装置本体に対して回転不能に支持されたストッパー部材と、前記１次給紙ロールの回転軸の給紙回転方向への回転時に前記回転軸の回転を許容し、給紙逆回転方向への回転時に前記回転軸にロックするワンウェイクラッチ部材とを有し、前記ストッパー部材と前記ワンウェイクラッチ部材との間が係合・非係合自在に設けられ、前記回転阻止解除手段が前記ワンウェイクラッチ部材と前記ストッパー部材との係合・非係合を制御する操作レバーであることを特徴とする。
【００１５】
この給紙装置では、用紙を撓ませた状態で１次給紙を完了した場合にあって、撓んだ用紙が直線状に戻ろうとする復帰力によって１次給紙ロールに逆回転方向の押圧力が作用するが、この１次給紙ロールの逆回転が逆転阻止手段のワンウェイクラッチ部材とストッパー部材との係合状態によって阻止され、又、操作レバーによってワンウェイクラッチ部材とストッパー部材とを非係合状態とすると、ワンウェイクラッチ部材の回転がフリーとなり、給紙台側から１次給紙した用紙を引っ張ると、１次給紙ロールが逆回転方向に回転して用紙が引き出せる。
【００１６】
請求項２の発明は、給紙台に積載された最上位置の用紙を回転により２次給紙部材側に搬送する１次給紙ロールを有し、この１次給紙ロールによって前記用紙の先端が２次給紙部材に当接してから更に搬送して前記用紙を撓ませた状態で１次給紙を完了すると共に、前記１次給紙ロールの回転軸に、給紙回転方向への回転を許容するが給紙逆回転方向への回転を阻止する逆転阻止手段を設け、この逆転阻止手段の回転阻止を解除する回転阻止解除手段を設けた給紙装置を給紙部に用いた印刷装置において、前記逆転阻止手段は、装置本体に対して回転不能に支持されたストッパー部材と、前記１次給紙ロールの回転軸の給紙回転方向への回転時に前記回転軸の回転を許容し、給紙逆回転方向への回転時に前記回転軸にロックするワンウェイクラッチ部材とを有し、前記ストッパー部材と前記ワンウェイクラッチ部材との間が係合・非係合自在に設けられ、前記回転阻止解除手段が前記ワンウェイクラッチ部材と前記ストッパー部材との係合・非係合を制御する操作レバーであることを特徴とする。
【００１７】
この印刷装置では、請求項１と同様の作用が給紙部で得られる。
【００１８】
【発明の実施の形態】
以下、本発明の一実施形態を図面に基づいて説明する。
【００１９】
図１〜図６は、本発明を孔版印刷装置（印刷装置）の給紙部Ａに適用した実施形態を示し、図１は給紙部の概略構成図、図２は給紙部を給紙台側から見た斜視図、図３はピックアップロールの回転軸の装着部品を示す斜視図、図４はワンウェイクラッチ部材とストッパー部材及びこれらの係合・非係合を制御する操作レバーの一部を断面で示す正面図、図５（Ａ）は逆転阻止状態のワンウェイクラッチ部材とストッパー部材及び操作レバーを一部断面で示す正面図、図５（Ｂ）は図５（Ａ）のＤ矢視図、図６（Ａ）は逆転阻止の回転解除状態のワンウェイクラッチ部材とストッパー部材及び操作レバーを一部断面で示す正面図、図６（Ｂ）は図６（Ａ）のＤ矢視図である。
【００２０】
図１〜図６において、この実施形態にあって図８及び図９に示す前記従来例と同一構成箇所については図面に同一符号を付してその説明を省略し、異なる構成箇所を中心に説明する。
【００２１】
即ち、逆転阻止手段Ｂは、互いの対向面に係止歯部２１ａ，２２ａを有するストッパー部材２１とワンウェイクラッチ部材２２とを有し、ストッパー部材２１とワンウェイクラッチ部材２２とは共に回転軸６に挿入されている。ストッパー部材２１とワンウェイクラッチ部材２２とは、そのスライド範囲が左右のＥリング２３，２４によって規制されている範囲で回転軸６の軸方向にスライド自在であり、互いの係止歯部２１ａ，２２ａ同士が噛み合う係合位置と互いの係止歯部２１ａ，２２ａ同士が離間し噛み合わない非係合位置との間で変移自在に構成されている。一方のＥリング２３とストッパー部材２１との間にはスライドバネ２５が介在され、このスライドバネ２５のバネ力によってストッパー部材２１はワンウェイクラッチ部材２２側、つまり、係合位置側に付勢されている。
【００２２】
ストッパー部材２１は回転軸６の回転を許容するように配置されている共に、ストッパー部材２１の外側面の係止突起部２１ｂが装置本体側である側板２６の係止孔２６ａに挿入されており、これによりストッパー部材２１は側板２６に対して回転不能とされている。ストッパー部材２１にはワンウェイクラッチ部材２２側の円周側面に傾斜面２１ｃが設けられている。ワンウェイクラッチ部材２２は回転軸６の給紙回転方向ａへの回転時に回転軸６の回転を許容し、給紙逆回転方向ｂへの回転時に回転軸６にロックするように構成されている。
【００２３】
回転阻止解除手段Ｃは、ストッパー部材２１とワンウェイクラッチ部材２２との間に介在された操作レバー３０にて構成され、この操作レバー３０はストッパー部材２１とワンウェイクラッチ部材２２に対して回転自在に設けられている。この操作レバー３０のストッパー部材２１側にはストッパー部材２１の傾斜面２１ｃに対応する傾斜面３０ａが設けられている。
【００２４】
そして、図５に示すように、互いの傾斜面２１ｃ，３０ａ同士が全体的に当接する操作レバー３０の回転位置ではスライドバネ２５のバネ力によってストッパー部材２１とワンウェイクラッチ部材２２との互いの係止歯部２１ａ，２２ａが圧接してストッパー部材２１とワンウェイクラッチ部材２２が一体となる。つまり、ストッパー部材２１とワンウェイクラッチ部材２２によって回転軸６の給紙逆回転方向ｂへの回転を阻止する。図６に示すように、互いの傾斜面２１ｃ，３０ａ同士が全体的に当接しない操作レバー３０の回転位置ではスライドバネ２５のバネ力に抗してストッパー部材２１が矢印Ｅ方向にスライドしてストッパー部材２１とワンウェイクラッチ部材２２との係止歯部２１ａ，２２ａが離間する。つまり、ストッパー部材２１とワンウェイクラッチ部材２２による上記した回転阻止機能が解除される。通常時には、操作レバー３０は図５の回転位置に位置設定されている。
【００２５】
又、ピックアップロール４と回転軸６との間には図示しないワンウェイクラッチが介在され、このワンウェイクラッチは回転軸６の給紙回転方向ａへの回転時に回転軸６とピックアップロール４間をロック、つまり、回転軸６とピックアップロール４が一体となって回転し、回転軸６の給紙逆回転時に回転軸６とピックアップロール４間をフリー、つまり、ピックアップロール４に対して回転軸６が自由回転を許容するように構成されている。又、回転軸６が固定時にピックアップロール４の給紙逆回転方向ｂへの回転は阻止され、ピックアップロール４の給紙回転方向ａへの回転は許容される。
【００２６】
次に、給紙動作を説明する。スクレーパロール３及びピックアップロール４が同期して回転されると、スクレーパロール３に圧接されている最上位置の印刷用紙２が少なくとも搬送され、この搬送された印刷用紙２がピックアップロール４とさばき台５との間に搬送される。ピックアップロール４とさばき台５との間まで搬送された印刷用紙２はピックアップロール４に圧接されるため、ピックアップロール４の回転により更に搬送される。
【００２７】
ここで、ピックアップロール４とさばき台５との間に複数枚の印刷用紙２が搬送されて来ると、最上の印刷用紙２はピックアップロール４の回転により搬送力を付与される一方、最下の印刷用紙２はさばき台５より搬送抵抗を付与され、以上より最上の印刷用紙２の１枚のみが一対の２次給紙ロール８，９側に搬送される。このように搬送される印刷用紙２の先端を給紙センサ１０が検出し、この検出ポイントを基準として所定の距離だけ印刷用紙２を搬送した時点でスクレーパロール３及びピックアップロール４の回転が停止される。具体的には、印刷用紙２の先端が一対の２次給紙ロール８，９の間に入り込んだ状態で一対の２次給紙ロール８，９に当接し、この当接位置から更に搬送され、印刷用紙２が図１に示すように撓んだ状態で１次給紙が完了される。
【００２８】
次に、所定のタイミングで一対の２次給紙ロール８，９が回転駆動され、この一対の２次給紙ロール８，９が回転駆動する際に、撓んだ印刷用紙２が直線状に戻ろうとする復帰力によって一対の２次給紙ロール８，９の間にスムーズに、且つ、確実に入り込むため、２次給紙が正確、且つ、確実に行われる。又、１次給紙された印刷用紙２の後端側はピックアップロール４に圧接されているが、該ピックアップロール４と回転軸６との間のワンウェイクラッチによってその自由回転が許容されることからスムーズな２次給紙を許容する。
【００２９】
上記給紙動作過程中で、印刷用紙２を撓ませた状態で１次給紙を完了した状態にあって、図１にて矢印で示すように、撓んだ印刷用紙２が直線状に戻ろうとする復帰力によってピックアップロール４に逆回転方向の押圧力が作用するが、このピックアップロール４の逆回転がワンウェイクラッチ部材２２及びストッパー部材２１によって阻止されるため、１次給紙された印刷用紙２の後端が給紙台１の最上位置の印刷用紙２を押圧することがない。具体的には、ピックアップロール４に給紙逆回転方向ｂの回転力が作用すると、この回転が回転軸６を介してワンウェイクラッチ部材２２に作用する。ワンウェイクラッチ部材２２はこの回転によって回転しようとするが、ワンウェイクラッチ部材２２とストッパー部材２１が互いの係止歯部２２ａ，２１ａによって係合しているため回転が阻止されるものである。
【００３０】
又、１次給紙された印刷用紙２にジャミングが発生した場合に、操作レバー３０を図５（Ａ），（Ｂ）の位置から図６（Ａ），（Ｂ）の位置まで回転すると、ワンウェイクラッチ部材２２とストッパー部材２１の互いの係止歯部２２ａ，２１ａ間が離間して回転軸６に給紙逆回転方向ｂの回転力が作用してもワンウェイクラッチ部材２２自体が回転軸６と共にフリー回転するので、ワンウェイクラッチ部材２２及びストッパー部材２１によって阻止されない。従って、給紙台１側からジャミングした印刷用紙２を引き出すことができる。ジャミングした印刷用紙２を除去した後は、図６（Ａ），（Ｂ）の位置になるように付与していた力を解除すると、操作レバー３０は、スライドバネ２５の反力により、図５（Ａ），（Ｂ）の位置まで自動的に復帰される。
【００３１】
以上より、１次給紙した印刷用紙２によって給紙台１の印刷用紙２の位置が乱されることを防止すると共に、１次給紙でジャミングした印刷用紙２を容易に除去できる。
【００３２】
尚、前記実施形態によれば、給紙装置を孔版印刷装置の給紙部に適用した場合を説明したが、孔版以外の印刷装置や複写装置のように給紙台に積載された印刷用紙２を１枚ずつ給紙する装置の給紙部であれば、同様に適用できるものである。
【００３３】
【発明の効果】
以上説明したように、請求項１の発明によれば、用紙を撓ませた状態で１次給紙を完了した場合にあって、撓んだ用紙が直線状に戻ろうとする復帰力によって１次給紙ロールに逆回転方向の押圧力が作用するが、この１次給紙ロールの逆回転が逆転阻止手段のワンウェイクラッチ部材とストッパー部材との係合状態によって阻止され、又、操作レバーによってワンウェイクラッチ部材とストッパー部材とを非係合状態とすると、ワンウェイクラッチ部材の回転がフリーとなり、給紙台側から１次給紙した用紙を引っ張ると、１次給紙ロールが逆回転方向に回転して用紙が引き出せるため、１次給紙した用紙によって給紙台の用紙の位置が乱されることを防止すると共に、１次給紙でジャミングした用紙を容易に除去できる。
【００３５】
請求項２の発明によれば、請求項１記載の給紙装置を印刷装置の給紙部に適用したので、請求項１の発明と同様の効果が印刷装置の給紙部で得られる。
【図面の簡単な説明】
【図１】本発明の一実施形態を示し、給紙部の概略構成図である。
【図２】本発明の一実施形態を示し、給紙部を給紙台側から見た斜視図である。
【図３】本発明の一実施形態を示し、ピックアップロールの回転軸の装着部品を示す斜視図である。
【図４】本発明の一実施形態を示し、ワンウェイクラッチ部材とストッパー部材及びこれらの係合・非係合を制御する操作レバーの一部を断面で示す正面図である。
【図５】本発明の一実施形態を示し、（Ａ）は逆転阻止状態のワンウェイクラッチ部材とストッパー部材及び操作レバーを一部断面で示す正面図、（Ｂ）は同図（Ａ）のＤ矢視図である。
【図６】本発明の一実施形態を示し、（Ａ）は逆転阻止の回転解除状態のワンウェイクラッチ部材とストッパー部材及び操作レバーを一部断面で示す正面図、（Ｂ）は同図（Ａ）のＤ矢視図である。
【図７】従来例の給紙装置の概略構成図である。
【図８】他の従来例の給紙装置の概略構成図である。
【図９】他の従来例のピックアップロールの回転軸の装着部品を示す平面図である。
【符号の説明】
１  給紙台
２  印刷用紙（用紙）
４  ピックアップロール（１次給紙ロール）
６  回転軸
８，９  ２次給紙ロール（２次給紙部材）
２１  ストッパー部材
２２  ワンウェイクラッチ部材
３０  操作レバー
Ａ  給紙部
Ｂ  逆転阻止手段
Ｃ  回転阻止解除手段
【図１】
0003635003.tif 000002
【図２】
0003635003.tif 000003
【図３】
0003635003.tif 000004
【図４】
0003635003.tif 000005
【図５】
0003635003.tif 000006
【図６】
0003635003.tif 000007
【図７】
0003635003.tif 000008
【図８】
0003635003.tif 000009
【図９】
0003635003.tif 000010